【手続補正書】
【提出日】平成29年11月28日(2017.11.28)
【手続補正１】
【補正対象書類名】明細書
【補正対象項目名】０００７
【補正方法】変更
【補正の内容】
【０００７】
実施形態に係る超音波診断装置は、送信部と、受信部と、画像生成部と、表示制御部とを備える。送信部は、音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる。受信部は、前記超音波プローブで受信された反射波に基づいて、反射波データを生成する。画像生成部は、前記反射波データに基づいて、前記走査領域内の複数位置それぞれにおける変位を複数の時相で算出し、算出した変位の解析により前記せん断波が到達した時相を前記複数位置それぞれで決定し、前記複数位置のうち決定された時相が略同一の位置同士を表す画像データを生成する。表示制御部は、前記画像データに基づく画像を、前記走査領域を含む領域に対応する医用画像に重畳表示させる。
【手続補正２】
【補正対象書類名】特許請求の範囲
【補正対象項目名】全文
【補正方法】変更
【補正の内容】
【特許請求の範囲】
【請求項１】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記超音波プローブで受信された反射波に基づいて、反射波データを生成する受信部と、
前記反射波データに基づいて、前記走査領域内の複数位置それぞれにおける変位を複数の時相で算出し、算出した変位の解析により前記せん断波が到達した時相を前記複数位置それぞれで決定し、前記複数位置のうち決定された時相が略同一の位置同士を表す画像データを生成する画像生成部と、
前記画像データに基づく画像を、前記走査領域を含む領域に対応する医用画像に重畳表示させる表示制御部と、
を備える、超音波診断装置。
【請求項２】
前記画像生成部は、２つの異なる位置について算出した変位の相互相関により、前記せん断波が到達した時相を決定する、請求項１に記載の超音波診断装置。
【請求項３】
前記画像生成部は、算出された変位が略最大となる時相を決定する、請求項１に記載の超音波診断装置。
【請求項４】
前記画像生成部は、離散的な複数時相に対応する前記画像データを生成する、請求項１に記載の超音波診断装置。
【請求項５】
前記画像データに含まれる位置ごとに、当該位置を含む所定領域内の各位置の前記決定された時相の分散値、及び、当該分散値と前記変位の大きさとに基づく値のうち、少なくとも一方を算出する算出部を更に備え、
前記画像生成部は、更に、前記画像データに含まれる各位置に、当該位置の前記分散値又は前記値に応じた画素値を割り当てる、請求項１〜４のいずれか一つに記載の超音波診断装置。
【請求項６】
前記画像生成部は、更に、前記画像データに含まれる各位置に、当該位置のせん断波に基づく生体組織の硬さの指標値、又は、当該位置における前記変位の大きさのうちのいずれかに応じた画素値を割り当てる、請求項１に記載の超音波診断装置。
【請求項７】
前記画像生成部は、それぞれ異なる複数の前記決定された時相ごとに前記画像データを複数生成し、当該画像データごとに当該決定された時相に応じた画素値を割り当てる、請求項１に記載の超音波診断装置。
【請求項８】
前記表示制御部は、それぞれ異なる複数の前記決定された時相ごとに前記画像データが複数生成された場合に、当該決定された時相が早い順に、当該画像データをそれぞれ表示させる、請求項７に記載の超音波診断装置。
【請求項９】
前記画像生成部は、更に、前記走査領域内の各位置のせん断波に基づく生体組織の硬さの指標値が略同一の位置同士を表す第２画像データを生成し、
前記表示制御部は、更に、前記第２画像データに基づく画像を前記医用画像上に表示させる、請求項１に記載の超音波診断装置。
【請求項１０】
前記画像生成部は、更に、前記走査領域内の各位置の前記変位の大きさが略同一の位置同士を表す第３画像データを生成し、
前記表示制御部は、更に、前記第３画像データに基づく画像を前記医用画像上に表示させる、請求項１に記載の超音波診断装置。
【請求項１１】
前記画像生成部は、更に、所定領域におけるせん断波の伝播速度で、前記せん断波が前記走査領域内の各位置に到達する到達時間を算出し、算出した到達時間が略同一の位置同士を表す第４画像データを生成し、
前記表示制御部は、更に、前記第４画像データに基づく画像を前記医用画像上に表示させる、請求項１に記載の超音波診断装置。
【請求項１２】
前記走査領域内の各位置に対してＢモードにおける信号強度に応じた画素値を割り当てた第５画像データ、前記走査領域内の各位置に対してせん断波に基づく生体組織の硬さの指標値に応じた画素値を割り当てた第６画像データ、前記走査領域内の各位置に対して当該位置における前記決定された時相に応じた画素値を割り当てた第７画像データ、前記走査領域内の各位置に対して当該位置における前記変位の大きさに応じた画素値を割り当てた第８画像データ、及び、前記走査領域内の各位置に対して前記決定された時相の分散値に応じた画素値を割り当てた第９画像データ、前記走査領域内の各位置に対して前記決定された時相の分散値と前記変位の大きさとに基づく値に応じた画素値を割り当てた第１０画像データのうち、少なくとも一つの画像データに基づく画像を、前記医用画像として生成する第２画像生成部を更に備える、請求項１に記載の超音波診断装置。
【請求項１３】
前記第２画像生成部は、前記医用画像に含まれる各位置の画素値を、前記走査領域内の各位置における前記指標値、前記決定された時相、前記変位の大きさ、前記分散値、及び、前記値の各パラメータのうちいずれか一つのパラメータを用いて変更する、請求項１１に記載の超音波診断装置。
【請求項１４】
前記表示制御部は、前記第５画像データ、前記第６画像データ、前記第７画像データ、前記第８画像データ、前記第９画像データ、及び前記第１０画像データのうち、少なくとも二つの画像データに基づく画像を並列表示させるとともに、並列表示させた画像データのうち、少なくとも一つの画像データに基づく画像上に、前記画像生成部により生成された画像データに基づく画像を重畳表示させる、請求項１２に記載の超音波診断装置。
【請求項１５】
前記表示制御部は、前記並列表示において、前記第６画像データに含まれる各位置の前記決定された時相、前記変位の大きさ、前記分散値、及び、前記値の各パラメータのうちいずれか一つのパラメータが所定の条件に満たない場合に、当該位置の画像を非表示にするとともに、当該並列表示の対象となる前記画像生成部により生成された画像データのうち、当該位置に対応する画像を非表示にする、請求項１４に記載の超音波診断装置。
【請求項１６】
前記表示制御部は、関心領域内の各位置におけるせん断波に基づく生体組織の硬さの指標値、前記決定された時相、前記変位の大きさ、前記決定された時相の分散値、及び当該分散値と前記変位の大きさとに基づく値のうち少なくとも一つのパラメータを評価し、評価結果を表示させる、請求項１に記載の超音波診断装置。
【請求項１７】
反射波データに基づいて、走査領域内の複数位置それぞれにおける変位を複数の時相で算出し、算出した変位の解析により前記せん断波が到達した時相を前記複数位置それぞれで決定し、前記複数位置のうち決定された時相が略同一の位置同士を表す画像データを生成する画像生成部と、
前記画像データに基づく画像を、前記走査領域を含む領域に対応する医用画像に重畳表示させる表示制御部と
を備える、画像処理装置。
【請求項１８】
反射波データに基づいて、走査領域内の複数位置それぞれにおける変位を複数の時相で算出し、算出した変位の解析により前記せん断波が到達した時相を前記複数位置それぞれで決定し、前記複数位置のうち決定された時相が略同一の位置同士を表す画像データを生成し、
前記画像データに基づく画像を、前記走査領域を含む領域に対応する医用画像に重畳表示させる
ことを含む、画像処理方法。
【請求項１９】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記超音波プローブで受信された反射波に基づいて、反射波データを生成する受信部と、
前記走査領域内の各位置のせん断波に基づく生体組織の硬さの指標値が略同一の位置同士を表す画像データを生成する画像生成部と、
前記画像データに基づく画像を、前記走査領域を含む領域に対応する医用画像に重畳表示させる表示制御部と
を備える、超音波診断装置。
【請求項２０】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記超音波プローブで受信された反射波に基づいて、反射波データを生成する受信部と、
前記走査領域内の各位置の前記変位の大きさが略同一の位置同士を表す画像データを生成する画像生成部と、
前記画像データに基づく画像を、前記走査領域を含む領域に対応する医用画像に重畳表示させる表示制御部と
を備える、超音波診断装置。
【請求項２１】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記超音波プローブで受信された反射波に基づいて、反射波データを生成する受信部と、
所定領域におけるせん断波の伝播速度で、前記せん断波が前記走査領域内の各位置に到達する到達時間を算出し、算出した到達時間が略同一の位置同士を表す画像データを生成する画像生成部と、
前記画像データに基づく画像を、前記走査領域を含む領域に対応する医用画像に重畳表示させる表示制御部と
を備える、超音波診断装置。
【請求項２２】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記走査領域内の各位置に対して当該位置における前記変位の大きさに応じた画素値を割り当てた画像データを生成する画像生成部と
を備えたことを特徴とする超音波診断装置。
【請求項２３】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記走査領域内の各位置に対して到達時間の分散値に応じた画素値を割り当てた画像データを生成する画像生成部と
を備えたことを特徴とする超音波診断装置。
【請求項２４】
音響放射力に基づいて生体組織に変位を発生させる変位発生用超音波を超音波プローブから送信させ、前記変位発生用超音波に基づいて発生したせん断波による所定の走査領域内の生体組織の変位を観測する観測用超音波を前記超音波プローブから送信させる送信部と、
前記超音波プローブで受信された反射波に基づいて、反射波データを生成する受信部と、
前記反射波データに基づいて、超音波画像データを生成し、当該超音波画像データに含まれる各位置の画素値を、前記走査領域内の各位置におけるせん断波に基づく生体組織の硬さの指標値、到達時間、前記変位の大きさ、及び、前記到達時間の分散値の各パラメータのうちいずれか一つのパラメータを用いて変更する画像生成部と
を備えたことを特徴とする超音波診断装置。